(57)【要約】【課題】本発明の課題は、室外機の熱交換器からの放熱における蒸発潜熱による放熱の割合を大きくし、熱交換効率を向上させた補助冷却装置を提供することにある。【解決手段】室外機の補助冷却装置１０は、ノズル５３と、給水配管５２と、加熱手段５６，５６ａ，５６ｂ，５６ｃ，５６ｄとを備える。ノズル５３は、空気調和装置の室外機１０の熱交換器３２に水を散布する。給水配管５２は、ノズル５３に水を供給する。加熱手段５６，５６ａ，５６ｂ，５６ｃ，５６ｄは、給水配管５２を加熱することで給水配管５２内の水を温める。【選択図】図２
2007205677.tif 000002
【特許請求の範囲】
【請求項１】
空気調和装置の室外機（１０）の熱交換器（３２）に水を散布するノズル（５３）と、
前記ノズル（５３）に水を供給する給水配管（５２）と、
前記給水配管（５２）を加熱することにより前記給水配管（５２）内の水を温める加熱手段（５６，５６ａ，５６ｂ，５６ｃ，５６ｄ）と、
を備える室外機の補助冷却装置（５０，５０ａ，５０ｂ，５０ｃ，５０ｄ）。
【請求項２】
前記加熱手段（５６）は、前記熱交換器（３２）の廃熱を利用する、
請求項１に記載の室外機の補助冷却装置（５０）。
【請求項３】
前記加熱手段（５６ａ）は、前記空気調和装置の冷媒配管（７０）の廃熱を利用する、
請求項１に記載の室外機の補助冷却装置（５０ａ）。
【請求項４】
前記加熱手段（５６ｂ）は、前記室外機（１０）が設置されている建物の建物放熱を利用する、
請求項１に記載の室外機の補助冷却装置（５０ｂ）。
【請求項５】
前記加熱手段（５６ｃ）は、前記室外機（１０）の熱源とは別の熱源機器の排水の廃熱を利用する、
請求項１に記載の室外機の補助冷却装置（５０ｃ）。
【請求項６】
前記加熱手段（５６ｄ）は、太陽光のエネルギーを利用する、
請求項１に記載の室外機の補助冷却装置（５０ｄ）。
【請求項７】
前記ノズル（５３）から前記熱交換器（３２）に水を散布する必要があるときに前記ノズルから間欠的に水をスプレーさせる制御部（１９）をさらに備える、
請求項１から６のいずれかに記載の室外機の補助冷却装置（５０，５０ａ，５０ｂ，５０ｃ，５０ｄ）。
【請求項８】
前記制御部（１９）は、前記ノズルから水を散布させる間欠度合いを、外気温に応じて変更する、
請求項７に記載の室外機の補助冷却装置（５０，５０ａ，５０ｂ，５０ｃ，５０ｄ）。
【請求項９】
前記制御部（１９）は、前記室外機（１０）からの作動指令がないときには、前記ノズル（５３）から水が散布されない、
請求項１から９のいずれかに記載の室外機の補助冷却装置（５０，５０ａ，５０ｂ，５０ｃ，５０ｄ）。
【発明の詳細な説明】
【技術分野】
【０００１】
本発明は、空気調和装置の室外機の熱交換効率向上および能力向上を図る補助冷却装置に関するものである。
【背景技術】
【０００２】
夏季、室外機の効率向上および能力向上を図るため、室外熱交換器に対し散水が行われている。従来の技術では、室外機の補助冷却装置として、特許文献１に開示されているようなものが存在する。この装置では、室外機の熱交換器に水を散布し、この水の蒸発潜熱によって放熱フィンを冷却することにより、空気調和装置の冷房能力の向上と消費電力の低下による省エネルギー化を図り、安定した冷房運転を継続させている。
【特許文献１】特開２００４−１１６９９６号公報
【発明の開示】
【発明が解決しようとする課題】
【０００３】
しかし、室外機熱交換器に対する散水には常温水が使用されている。したがって、特許文献１の技術では、熱交換器からの放熱は水の蒸発潜熱によるものよりも、温度上昇（顕熱）による割合が大きい。蒸発潜熱は、顕熱よりも水の分子量あたりの熱伝達率が大きいため、蒸発潜熱を有効に利用した方が冷却効果は高まる。
本発明の課題は、室外機の熱交換器からの放熱における蒸発潜熱による放熱の割合を大きくし、熱交換効率を向上させることのできる補助冷却装置を提供することにある。
【課題を解決するための手段】
【０００４】
第１発明に係る室外機の補助冷却装置は、ノズルと、給水配管と、加熱手段とを備える。ノズルは、空気調和装置の室外機の熱交換器に水を散布する。給水配管は、ノズルに水を供給する。加熱手段は、給水配管を加熱することで給水配管内の水を温める。
この室外機の補助冷却装置では、給水配管中の水を温める加熱手段を備えることで、使用する水を温水にする。ノズルが、温水を室外機の熱交換器に対して散布する。したがって、温水を活用することにより、常温水活用時と比較して、散水が蒸発しやすくなる。このため、散布した温水の蒸発潜熱により室外機の熱交換器における冷却効果を高めることが可能となる。
【０００５】
第２発明に係る室外機の補助冷却装置は、第１発明に係る室外機の補助冷却装置であって、加熱手段は、熱交換器の廃熱を利用する。
この室外機の補助冷却装置では、給水配管中の水を温める加熱手段に、室外機の熱交換器の廃熱を利用する。したがって、加熱手段に使用するエネルギーに室外機の熱交換器の廃熱のエネルギーを利用することにより、加熱に消費するエネルギーを抑えることが可能となる。また、この室外機の補助冷却装置は、室外機の熱交換器中で冷媒と作動流体との熱交換が行われる前に、冷媒と給水配管中の水との熱交換が行われるため、冷却効果を高めることが可能となる。
【０００６】
第３発明に係る室外機の補助冷却装置は、第１発明に係る室外機の補助冷却装置であって、加熱手段は、空気調和装置の冷媒配管の廃熱を利用する。
この室外機の補助冷却装置では、給水配管中の水を温める加熱手段に、空気調和装置の冷媒配管の廃熱を利用する。したがって、加熱手段に使用するエネルギーに冷媒配管の廃熱エネルギーを利用することにより、加熱に消費するエネルギーを抑えることが可能となる。また、この室外機の補助冷却装置は、室外機の熱交換器中で冷媒と作動流体との熱交換が行われる前に、冷媒配管中の冷媒と給水配管中の水との熱交換が行われるため、冷却効果を高めることが可能となる。
【０００７】
第４発明に係る室外機の補助冷却装置は、第１発明に係る室外機の補助冷却装置であって、加熱手段は、室外機が設置されている建物の建物放熱を利用する。
この室外機の補助冷却装置では、給水配管中の水を温める加熱手段に、室外機が設置されている建物の建物放熱を利用する。したがって、加熱手段に使用するエネルギーに室外機が設置されている建物放熱のエネルギーを利用することにより、加熱に消費するエネルギーを抑えることが可能となる。また、建物に蓄積された熱エネルギーを利用するため、建物の躯体を冷却することができ、室内を冷却することができる。このため、室内を冷却するエネルギーを抑えることが可能となる。
【０００８】
第５発明に係る室外機の補助冷却装置は、第１発明に係る室外機の補助冷却装置であって、加熱手段は、室外機の熱源とは別の熱源機器の廃熱を利用する。
この室外機の補助冷却装置では、給水配管中の水を温める加熱手段に、室外機の熱源とは別の熱源機器の廃熱を利用する。なお、ここにいう「別の熱源機器」とは、例えば、コージェネレーションシステム、ボイラー、給湯機器などである。
したがって、加熱手段に使用するエネルギーに室外機の熱源とは別の熱源機器の廃熱エネルギーを利用するため、加熱に消費するエネルギーを抑えることが可能となる。
【０００９】
第６発明に係る室外機の補助冷却装置は、第１発明に係る室外機の補助冷却装置であって、加熱手段は、太陽光のエネルギーを利用する。
この室外機の補助冷却装置では、給水配管中の水を温める加熱手段に、太陽光のエネルギーを利用する。ここにいう、太陽光のエネルギーを利用する加熱手段とは、例えば、太陽熱温水器などである。したがって、加熱手段に使用するエネルギーに太陽光のエネルギーを利用するため、加熱に消費するエネルギーを抑えることが可能となる。
【００１０】
第７発明に係る室外機の補助冷却装置は、第１発明から第６発明のいずれかに係る室外機の補助冷却装置であって、制御部をさらに備えている。制御部は、ノズルから水を熱交換器に散布する必要があるときに、ノズルから間欠的に水を散布させる。
この室外機の補助冷却装置では、制御部がノズルから熱交換器に間欠的に水を散布させる。したがって、水を継続的に散布し続ける場合に比べ、水の消費量を抑えることが可能となる。このため、水道代を抑えることが可能となる。また、水を送るポンプ等の機器を継続して運転しなくとも良いため、消費エネルギーを抑えることが可能となる。
【００１１】
第８発明に係る室外機の補助冷却装置は、第７発明に係る室外機の補助冷却装置であって、制御部は、ノズルから水を散布させる間欠度合いを、外気温に応じて変更する。間欠度合いとは、水を散布している時間に対する水を散布していない時間の割合である。
この室外機の補助冷却装置では、例えば、外気温が高く熱交換器を濡らした水が蒸発し易い場合に間欠度合いを小さくしてトータルの水量を多くし、外気温が比較的低く熱交換器を濡らした水が蒸発し難い場合に間欠度合いを大きくしてトータルの水量を少なくするというような制御が可能となる。ここでは、水を散布する際に熱交換器からの水の蒸発の速さを考慮して水量を調整することが可能となるようになるため、スケールの発生をより小さく抑えることが可能となる。
【００１２】
第９発明に係る室外機の補助冷却装置は、第１発明から第８発明のいずれかに係る室外機の補助冷却装置であって、室外機からの作動指令がないときには、ノズルから水が散布されない。
この室外機の補助冷却装置では、室外機が熱交換器の補助冷却の必要がないと判断した場合には補助冷却装置のノズルから水が散布されないため、水が浪費されて無駄な費用が生じることが防止される。例えば、室外機は、冷媒の高圧圧力が異常なレベルまで上昇したときにだけ、運転停止を回避するために補助冷却装置へ作動指令を出す。
【発明の効果】
【００１３】
第１発明に係る室外機の補助冷却装置では、温水を活用することにより、常温水活用時と比較して、散水が蒸発しやすくなる。このため、散布した温水の蒸発潜熱により室外機の熱交換器における冷却効果を高めることが可能となる。
第２発明に係る室外機の補助冷却装置では、加熱手段に使用するエネルギーに室外機の熱交換器の廃熱のエネルギーを利用することにより、加熱に消費するエネルギーを抑えることが可能となる。また、この室外機の補助冷却装置は、室外機の熱交換器中で冷媒と作動流体との熱交換が行われる前に、冷媒と給水配管中の水との熱交換が行われるため、冷却効果を高めることが可能となる。
【００１４】
第３発明に係る室外機の補助冷却装置では、加熱手段に使用するエネルギーに冷媒配管の廃熱エネルギーを利用することにより、加熱に消費するエネルギーを抑えることが可能となる。また、この室外機の補助冷却装置は、室外機の熱交換器中で冷媒と作動流体との熱交換が行われる前に、冷媒配管中の冷媒と給水配管中の水との熱交換が行われるため、冷却効果を高めることが可能となる。
【００１５】
第４発明に係る室外機の補助冷却装置では、加熱手段に使用するエネルギーに室外機が設置されている建物放熱のエネルギーを利用することにより、加熱に消費するエネルギーを抑えることが可能となる。また、建物に蓄積された熱エネルギーを利用するため、建物の躯体を冷却することができ、室内を冷却することができる。このため、室内を冷却するエネルギーを抑えることが可能となる。
【００１６】
第５発明に係る室外機の補助冷却装置では、加熱手段に使用するエネルギーに室外機の熱源とは別の熱源機器の廃熱エネルギーを利用するため、加熱に消費するエネルギーを抑えることが可能となる。
第６発明に係る室外機の補助冷却装置では、加熱手段に使用するエネルギーに太陽光のエネルギーを利用するため、加熱に消費するエネルギーを抑えることが可能となる。
【００１７】
第７発明に係る室外機の補助冷却装置では、水を継続的に散布し続ける場合に比べ、水の消費量を抑えることが可能となる。このため、水道代を抑えることが可能となる。また、水を送るポンプ等の機器を継続して運転しなくとも良いため、消費エネルギーを抑えることが可能となる。
第８発明に係る室外機の補助冷却装置では、水を散布する際に熱交換器からの水の蒸発の速さを考慮して水量を調整することが可能となるようになるため、スケールの発生をより小さく抑えることが可能となる。
【００１８】
第９発明に係る室外機の補助冷却装置では、室外機が熱交換器の補助冷却の必要がないと判断した場合には補助冷却装置のノズルから水が散布されないため、水が浪費されて無駄な費用が生じることが防止される。
【発明を実施するための最良の形態】
【００１９】
＜室外機の構成＞
本発明の一実施形態に係る補助冷却装置５０がオプションとして付けられる空気調和装置の室外機１０を、図１に示す。室外機１０は、マルチタイプの空気調和装置を構成しており、ビルの屋上等に設置されるとともに、複数の室内機（図示せず）に連絡配管を介して接続されている。
【００２０】
室外機１０は、側面から空気を吸入して熱交換した後に上面の吹出口（後述の空気吹出口２５ａ）から熱交換後の空気を吹き出すタイプのものであり、ケーシング１２と、ケーシング１２の内部空間に収納された室外側冷媒回路１３と、ケーシング１２の内部空間の上部に設けられた送風ファン１４とを備えている。
（１）ケーシング
ケーシング１２は、略直方体形状であり、主に、４つの角部にそれぞれ配置された支柱２１〜２４と、上面パネル２５と、前面パネル２６と、後面パネル２７と、１対の側面パネル２８と、下面パネル２９とから構成されている。
【００２１】
支柱２１〜２４は、ケーシング１２の各角部の上端から下端まで延びる柱状の部材であり、上面パネル２５、前面パネル２６、後面パネル２７、１対の側面パネル２８および下面パネル２９を固定支持している。
上面パネル２５は、中央に設けられた開口からなる空気吹出口２５ａ（上面）を有しており、開口の上部を覆うようにファングリル２５ｂが設けられている。そして、ケーシング１２内に吸入された空気は、空気吹出口２５ａから上方に向かって吹き出されるようになっている。
【００２２】
後面パネル２７には、ケーシング１２内に空気を吸入するための空気吸入口２７ａが形成されている。本実施形態において、空気吸入口２７ａは、詳細は図示しないが、ほぼ全面に設けられた開口からなる。また、１対の側面パネル２８にも、ケーシング１２内に空気を吸入するための空気吸入口２８ａが、それぞれ形成されている。本実施形態において、空気吸入口２８ａは、前面パネル２６近傍を除く面に設けられた開口からなる。これらの３つの空気吸入口２７ａ，２８ａから、ケーシング１２の内部空間に空気が吸入されるようになっている。
【００２３】
下面パネル２９は、室外側冷媒回路１３を構成する機器および配管類を固定支持している。また、下面パネル２９は、据付面との間にスペースが可能となるように、４つの支柱２１〜２４に支持されている。
（２）冷媒回路および熱交換器
室外側冷媒回路１３は、圧縮機３１、熱交換器３２などの機器、およびこれらの機器を接続する配管類から構成されている。圧縮機３１や熱交換器３２などの主要な機器は、下面パネル２９に固定されている。すなわち、室外側冷媒回路１３を構成する機器および配管類は、主として、ケーシング１２の下部に配置されている。
【００２４】
熱交換器３２は、上面視において略Ｕ字形状であり、３面の各部分が３つの空気吸入口２７ａ，２８ａに対向するように配置されている。また、熱交換器３２は、その外面が、室外機１０の外から直接見えるようになっており、ケーシング１２とともに室外機１０の外面を構成している。そして、熱交換器３２は、その内部を流れる冷媒と、空気吸入口２７ａ，２８ａから吸入された空気との間で、熱交換を行わせる。
【００２５】
（３）送風ファン
送風ファン１４は、プロペラファンであり、ケーシング１２の内部空間の上部において、空気吹出口２５ａに対向するように配置されている。送風ファン１４は、複数のプロペラ翼４１と、プロペラ翼４１の内周部を固定するハブ（図示せず）と、ハブを回転駆動するファンモータ４２とを有している。ファンモータ４２は、支持フレーム（図示せず）を介して、ケーシング１２に固定されている。これにより、送風ファン１４は、空気吸入口２７ａ，２８ａを通じて、室外空気をケーシング１２の側面からケーシング１２の内部に吸入して、熱交換器３２を通過させた後、ケーシング１２の上部に導いて空気吹出口２５ａから吹き出すことが可能である。
【００２６】
また、室外機１０の送風ファン１４や圧縮機３１などの機器は、図３に示す室外制御ユニット１９によってコントロールされる。室外機１０の中に配備される室外制御ユニット１９には、熱交換器３２の温度を測定する熱交換器サーミスタ６１、圧縮機３１の吐出管の温度を測定する吐出管サーミスタ６２、外気の温度を測定する外気サーミスタ６３などが接続されており、各種データが室外制御ユニット１９に集まる。
【００２７】
＜補助冷却装置の構成および動作＞
上述の室外機１０に装着される補助冷却装置５０は、主として、本体５１と、給水配管５２と、ノズル５３（本実施形態においては２つ）と、加熱手段５６とから構成されている。本体５１の中には、図３に示す補助冷却制御ユニット５５が収納されている。また、本体５１内に位置する給水配管５２の上流端には、図示しない水道管から所定圧力の水が供給される。また、この水道管からの水は、補助冷却制御ユニット５５によりコントロールされる給水バルブ５４（図３参照）を介して給水配管５２に供給される。ノズル５３は、室外機の熱交換器３２に、細かい粒状または霧状の水をほぼ均一に散布することが可能である。
【００２８】
加熱手段５６は、給水配管５２中の水を温めている。本実施例においては、図２に示すように室外機１０の熱交換器３２の一部が加熱手段５６となっており、熱交換器３２の放熱を利用して給水配管５２中の水を温水にしている。ここでは、この加熱手段５６により、夏季の約３０℃の常温水を約５０℃まで加熱している。このように、加熱手段５６により給水配管中の水をあらかじめ温水にすることで、ノズルから散布させた水を蒸発し易くさせている。
【００２９】
補助冷却制御ユニット５５は、上述の室外制御ユニット１９と接続されており、室外制御ユニット１９からの指令に基づいて給水バルブ５４を開けて、ノズル５３から熱交換器３２への散水を行わせる。したがって、室外制御ユニット１９からの指令がないときには、ノズル５３から水が散布されることはない。ここでは、高圧圧力が異常なレベルまで上昇したときにだけ、空調運転停止を回避するために、室外制御ユニット１９が補助冷却制御ユニット５５に指令を出す。
【００３０】
室外制御ユニット１９からの指令があったときに、補助冷却制御ユニット５５は、給水バルブ５４の開閉を繰り返し、ノズル５３から熱交換器３２に間欠的に水を散布させる。その間欠度合いについては、熱交換器３２に散布された水が確実に蒸発するように調整される。本実施形態においては、補助冷却制御ユニット５５にタイマー５７を備え、給水バルブ５４を制御することにより、ノズル５３からの散水を所定間隔で間欠的に行い、水の蒸発潜熱を最大限有効に利用可能となるようにしている。すなわち、ノズル５３から熱交換器３２に散布される水の量は補助冷却制御ユニット５５によって調整される。また、補助冷却制御ユニット５５は、水を散布された熱交換器がほぼ乾くまでタイマー５７によって待機し、再びノズル５３に散水させ、これを繰り返し行う。
【００３１】
また、補助冷却制御ユニット５５は、ノズル５３から熱交換器３２に水を散布させる間欠度合いを、外気温に応じてさらに微調整する。外気温のデータは、室外制御ユニット１９を介して外気サーミスタ６３から取得される。散布の間欠度合いの微調整としては、外気温が高くなるほど水量が増えるように給水バルブ５４の閉状態に対して開状態を長くすることが行われる。具体的には、外気温と間欠度合いとの相関テーブルに基づいて、補助冷却制御ユニット５５が散布の間欠度合いの微調整を行う。
【００３２】
＜補助冷却装置の特徴＞
（１）
この室外機１０の補助冷却装置５０では、給水配管５２中の水を温める加熱手段５６を備えることで、使用する水を温水にする。ノズル５３が、温水を室外機１０の熱交換器３２に対して散水する。したがって、温水活用により、常温水活用時と比較して、散水が蒸発しやすくなる。このため、散水による蒸発潜熱により室外機１０の熱交換器３２における冷却効果を高めることが可能となる。
【００３３】
（２）
この室外機１０の補助冷却装置５０では、給水配管５２中の水を温める加熱手段５６に、室外機１０の熱交換器３２の廃熱を利用する。したがって、加熱手段５６に使用するエネルギーに室外機１０の熱交換器３２の廃熱のエネルギーを利用するため、加熱に消費するエネルギーを抑えることが可能となる。また、室外機１０の熱交換器３２は、給水配管５２中の水と熱交換をするため、冷却効果を高めることが可能となる。
【００３４】
（３）
この室外機１０の補助冷却装置５０では、ノズル５３から熱交換器３２に間欠的に水を散布させるため、水を継続的に散布し続ける場合に比べ、水の消費量を抑えることが可能となる。このため、水道代を抑えることが可能となる。また、水を送るポンプ等の機器を継続して運転しなくとも良いため、消費エネルギーを抑えることが可能となる。
【００３５】
（４）
この室外機１０の補助冷却装置５０では、例えば、外気温が高く熱交換器３２を濡らした水が蒸発し易い場合に間欠度合いを小さくしてトータルの水量を多くし、外気温が比較的低く熱交換器３２を濡らした水が蒸発し難い場合に間欠度合いを大きくしてトータルの水量を少なくするというような制御が可能となる。このように、ここでは、水を散布する際に熱交換器３２からの水の蒸発の速さを考慮して水量を調整することが可能となるようになるため、スケールの発生をより小さく抑えることが可能となる。
【００３６】
（５）
この室外機１０の補助冷却装置５０では、室外機１０が熱交換器３２の補助冷却の必要がないと判断した場合には補助冷却装置５０のノズル５３から水が散布されないため、水が浪費されて無駄な費用が生じることが防止される。例えば、室外機１０は、冷媒の高圧圧力が異常なレベルまで上昇したときにだけ、運転停止を回避するために補助冷却装置５０へ作動指令を出す。
【００３７】
＜変形例＞
（Ａ）
上記実施形態では、室外機１０において高圧圧力が異常なレベルまで上昇し、室外制御ユニット１９から補助冷却制御ユニット５５に指令が出されたときにだけ、ノズル５３から熱交換器３２に水が散布されている。これにより、水の浪費が抑えられ、水道代の節約が行われている。
【００３８】
これに対して、熱交換器３２に水をかけて冷却することで熱交換効率が向上して空気調和装置の電気代の節約が見込める場合には、水を多めに使用することになっても補助冷却装置５０を長く作動させ、電気のほうの省エネルギー化を図るようにすることが可能である。例えば、電力使用量がピークになる時間帯や時期において、補助冷却装置５０を積極的に長時間作動させることによって、使用する電力を抑えることが可能となる。
【００３９】
（Ｂ）
上記実施形態では、補助冷却装置５０を室外機１０に付けるオプションとして説明を行っているが、このような補助冷却装置５０が最初から室外機１０に組み込まれていてもよい。この場合には、図２や図３において室外機１０のケーシング１２の外に配置されている補助冷却装置５０の本体５１をケーシング１２の内部空間に配備して、室外機１０の見栄えをさらに良くすることが容易に可能となる。また、補助冷却制御ユニット５５と室外制御ユニット１９との結線も容易になる。
【００４０】
（Ｃ）
上記実施形態では、給水配管５２中の水を温める加熱手段５６に、室外機１０の熱交換器３２の廃熱を利用したが、これに限らず、空気調和装置の冷媒配管の廃熱を利用しても良いし、室外機１０が設置されている建物の建物放熱を利用しても良いし、室外機１０の熱源とは別の熱源機器（ボイラ）８の排水の廃熱を利用しても良いし、太陽光のエネルギーを利用しても良い。また、これらの加熱手段５６〜５６ｄの少なくとも２つ以上を併用して利用しても良い。これらの、変形例について図４〜７を用いて説明する。
【００４１】
図４に、加熱手段５６ａとして空気調和装置の冷媒配管７０の廃熱を利用するものを示す。ここで、加熱手段５６ａは、空気調和装置の冷媒配管７０と給水配管５２とを熱交換させることにより給水配管５２中の水を温め、温水を得ている。したがって、冷媒配管７０の廃熱エネルギーを加熱手段５６ａに利用するため、加熱に消費するエネルギーを抑えることが可能となる。また、室外機１０の熱交換器３２が熱交換する前に、冷媒配管７０によりあらかじめ給水配管５２中の水と熱交換をするため、冷却効果を高めることが可能となる。
【００４２】
図５に、加熱手段５６ｂとして室外機１０が設置されている建物の建物放熱を利用するものを示す。ビル等の鉄筋コンクリート等でできている建物の躯体は、熱を吸収しやすく、また、熱を蓄積しやすい。ここで、加熱手段５６ｂは、建物の躯体と給水配管５２とを熱交換させることにより給水配管５２中の水を温め、温水を得ている。したがって、室外機１０が設置されている建物放熱のエネルギーを加熱手段５６ｂに利用するため、加熱に消費するエネルギーを抑えることが可能となる。また、建物に蓄積された熱エネルギーを利用するため、建物の室内を冷却することができ、室内を冷却するエネルギーを削減することが可能となる。
【００４３】
図６に、加熱手段５６ｃとして室外機１０の熱源とは別の熱源機器（ボイラ）８の排水の廃熱を利用するものを示す。ここでは、ボイラの排水管８１と給水配管５２とを熱交換させることにより給水配管５２中の水を温め、温水を得ている。したがって、ボイラ８の排水の廃熱エネルギーを加熱手段５６ｃに利用するため、加熱に消費するエネルギーを抑えることが可能となる。なお、室外機１０の熱源とは別の熱源機器は、ボイラの他にも、例えば、コージェネレーションシステム、給湯機器などであっても良い。
図７に、加熱手段５６ｄとして太陽光のエネルギーを利用するものを示す。本実施例の、太陽光のエネルギーを利用する加熱手段とは、太陽熱温水器である。ここでは、太陽熱温水器５６ｄにより太陽光のエネルギーを利用して給水配管中の水を温め温水を得ている。したがって、加熱に消費するエネルギーを抑えることが可能となる。
【００４４】
（Ｄ）
上記実施形態では、補助冷却装置５０にノズルは２基設けられているが、これに限らず、ノズルは室外熱交換器の大きさや出力により１基から数基設けられていても良い。また、ノズルを多数基設けて、室外機の熱交換器の大きさや出力に応じて選択的に１基から数基を使用するようにしても良い。
【００４５】
（Ｅ）
上記実施形態では、空気調和装置の室外機１０にマルチタイプが採用されたが、これに代えて、ルームエアコンが採用されても構わない。
【産業上の利用可能性】
【００４６】
本発明に係る室外機の補助冷却装置は、温水活用により、常温水活用時と比較して、散水が蒸発しやすくなり、散水による蒸発潜熱により室外機の熱交換器における冷却効果を高めることができ、空気調和装置の室外機の熱交換効率向上および能力向上を図る補助冷却装置等として有用である。
【図面の簡単な説明】
【００４７】
【図１】本発明の実施の形態に係る補助冷却装置がオプションとして付く室外機の斜視図。
【図２】本発明の実施の形態に係る補助冷却装置および室外機の熱交換器を背面側から見た概略斜視図。
【図３】本発明の実施の形態に係る室外機および補助冷却装置の概略制御ブロック図。
【図４】変形例Ｃの補助冷却装置および室外機の熱交換器を背面側から見た概略斜視図（加熱手段に冷媒配管の廃熱利用）。
【図５】変形例Ｃの補助冷却装置および室外機の熱交換器を背面側から見た概略斜視図（加熱手段にビルの躯体蓄熱利用）。
【図６】変形例Ｃの補助冷却装置および室外機の熱交換器を背面側から見た概略斜視図（加熱手段に空調機器とは別の熱源機器の排水廃熱利用）。
【図７】変形例Ｃの補助冷却装置および室外機の熱交換器を背面側から見た概略斜視図（加熱手段に太陽光のエネルギー利用）。
【符号の説明】
【００４８】
１０      室外機
３２      熱交換器
５０      補助冷却装置
５２      給水配管
５３      ノズル
５５      補助冷却制御ユニット
５６，５６ａ，５６ｂ，５６ｃ，５６ｄ      加熱手段
７０      冷媒配管
【図１】
2007205677.tif 000003
【図２】
2007205677.tif 000004
【図３】
2007205677.tif 000005
【図４】
2007205677.tif 000006
【図５】
2007205677.tif 000007
【図６】
2007205677.tif 000008
【図７】
2007205677.tif 000009